(57)【要約】【課題】使用者の足の挿入や脱ぐ操作が行い易く、かつ、挿入した足を十分に固定できる、着脱し易く且つホールド性に優れた歩き易い靴を提供すること。【解決手段】踵部の、少なくとも前記アッパー本体側踵部には、カウンター部が設けられ、前記固定用ベルト部は、前記舌状当接部に対して一体的に、且つその両側からそれぞれ突出するように配置され、前記固定用ベルト部のそれぞれの端部と、アッパー本体部には、係合手段が形成され、前記固定用ベルト部のそれぞれの端部は、前記カウンター部の外縁部に近接して配置され、前記固定用ベルト部のそれぞれの端部の幅方向における略中央部を相互に結んだ仮想線を、そのまま延長した場合に、この仮想線が、前記踵部における前記アッパー本体側踵部と前記靴底側踵部との境界部に達するように前記固定用ベルト部は設けられ、それぞれの前記固定用ベルト部を結んだ仮想線の領域に、足高点が配置される靴１００。【選択図】図６
2007105526.tif 000002
【特許請求の範囲】
【請求項１】
使用者の足の足裏側を配置するための靴底部と、
前記靴底部から立ち上がるように、且つ使用者の足を包むように形成されるアッパー本体部と、
使用者の足の踵を配置するための踵部とを、備える靴であって、
このアッパー本体部には、使用者の足を挿入するための履き口部と、
前記履き口部の一部を切り欠いて爪先側方向に向かって形成されている足挿入用開口部と、
前記足挿入用開口部に対応して配置される舌状当接部と、
前記舌状当接部と前記足挿入用開口部に対して配置される固定用ベルト部と、を備え、
前記踵部は、前記靴底部に形成される靴底側踵部と前記アッパー本体部に形成されるアッパー本体側踵部とを有し、
少なくとも前記アッパー本体側踵部には、その剛性を高めるためにカウンター部が設けられ、
前記固定用ベルト部は、前記舌状当接部に対して一体的に形成され、且つその両側からそれぞれ突出するように配置され、
前記固定用ベルト部のそれぞれの端部と、これらに対応するアッパー本体部には、前記固定用ベルト部をアッパー本体部に着脱可能で、位置の調整可能な状態で固定するための係合手段が形成され、
前記固定用ベルト部のそれぞれの端部は、前記カウンター部の外縁部に近接して配置されると共に、
前記固定用ベルト部のそれぞれの端部の幅方向における略中央部を相互に結んだ仮想線を、そのまま延長した場合に、この仮想線が、前記踵部における前記アッパー本体側踵部と前記靴底側踵部との境界部又はその近傍に達するように前記固定用ベルト部は設けられ、
また、前記舌状当接部の両側に配置される、それぞれの前記固定用ベルト部を結んだ仮想線の領域に、使用者の足の甲における足高点が位置するように、前記固定用ベルト部が配置される構成となっていることを特徴とする靴。
【請求項２】
前記舌状当接部の両側に配置される、それぞれの前記固定用ベルト部を結んだ仮想線の領域における下縁部側に、使用者の足の甲における足高点が位置するように、前記固定用ベルト部が配置される構成となっていることを特徴とする請求項１に記載の靴。
【請求項３】
前記舌状当接部を前記足挿入用開口部に対応して配置した際に、その上端部が前記履き口部より高く位置するように形成されると共に、
前記舌状当接部の両側に配置される、それぞれの前記固定用ベルト部を結んだ仮想線の上縁部側に、前記上端部の変形を容易にする屈曲変形部が形成されることを特徴とする請求項１又は請求項２に記載の靴。
【請求項４】
前記舌状当接部は前記足挿入用開口部の爪先側の端部又はその近傍の前記アッパー本体部に設けられた舌状当接部取り付け領域で固定されると共に、
前記舌状当接部取り付け領域は、使用者の足の足指屈曲線又はその近傍の上方に相当する位置に形成される構成となっていることを特徴とする請求項１乃至請求項３のいずれかに記載の靴。
【請求項５】
前記アッパー本体部に形成された履き口部と前記足挿入用開口部とで形成される開口と、前記靴とを平面図において表した場合に、前記開口の最大長さが、前記靴の最大長さに対して４５％以上に形成されていることを特徴とする請求項１乃至請求項４のいずれかに記載の靴。
【請求項６】
前記靴が幼児用靴であることを特徴とする請求項１乃至請求項５のいずれかに記載の靴。
【請求項７】
前記舌状当接部の靴幅方向中央領域に、靴の爪先側から足首側にわたって位置決め部が形成されていることを特徴とする請求項１乃至請求項５のいずれかに記載の靴。
【請求項８】
前記舌状当接部には剛性を有する剛性層が形成され、
前記位置決め部は前記剛性層を縫合することにより形成され、
前記縫合により成る縫合線が前記固定用ベルト部のそれぞれの端部の幅方向における略中央部を相互に結んだ仮想線と略垂直に交差する構成であることを特徴とする請求項７に記載の靴。
【請求項９】
前記舌状当接部に対して一体的に形成され、且つその両側からそれぞれ突出するように配置されている前記固定用ベルト部のうち、靴の内足側に配置される前記固定用ベルト部が、靴の外足側に配置される前記固定用ベルト部より短く形成されていることを特徴とする請求項１乃至請求項８のいずれかに記載の靴。
【発明の詳細な説明】
【技術分野】
【０００１】
本発明は、使用者が足を挿入し易く、歩き易い靴に関するものである。
【背景技術】
【０００２】
一般に、例えば運動靴のように、足を挿入した後の歩き易さ、すなわち、足のホールド性を考慮する靴については、使用者の足を挿入するための履き口等を比較的小さく形成したり、靴紐等で強く締める構造とする傾向にある。すなわち、履き口等を比較的小さく形成等すると、靴が脱げ難く、靴全体で足をホールドし易いからである。
一方、幼児用靴等のように、他人が靴を履かせたり、脱がせたりするタイプの靴では、前記運動靴と異なり、足を挿入した後のホールド性より、他人が着脱し易くするため、履き口等が比較的大きく形成される傾向にある。この場合は、使用者が足を挿入し易いが、運動靴と異なり足のホールド性に欠けるため、足が靴の中で十分に固定されず、歩行し難い靴となる。
【発明の開示】
【発明が解決しようとする課題】
【０００３】
しかし、近年、従来と異なりホールド性が良好で歩き易く、且つ履き口等が大きく足を挿入し易い靴が強く求められている。しかし、上述のようにホールド性を追求すれば履き難い靴となり、履き口等を大きく足の挿入し易さを追求すれば、ホールド性が劣り、歩き難い靴となり問題となっていた。
また、ホールド性の高さと、履き口等の大きさを共に求めると、中途半端な靴となり、歩き難く、足を挿入し難い靴となり、より問題となっていた。
そこで、履き口の一部を覆う舌片を有する靴が提案されているが、舌片による固定を重視すると、足首の動き等を阻害してしまい、また、固定を弱めると靴内で足が動いてしまう等の問題があった。
【０００４】
本発明は、以上の点に鑑み、使用者の足の挿入や脱ぐ操作が行い易く、かつ、挿入した足を十分に固定できる、着脱し易く且つホールド性に優れた歩き易い靴を提供することを目的とする。
【課題を解決するための手段】
【０００５】
前記目的は、請求項１の発明によれば、使用者の足の足裏側を配置するための靴底部と、前記靴底部から立ち上がるように、且つ使用者の足を包むように形成されるアッパー本体部と、使用者の足の踵を配置するための踵部とを、備える靴であって、このアッパー本体部には、使用者の足を挿入するための履き口部と、前記履き口部の一部を切り欠いて爪先側方向に向かって形成されている足挿入用開口部と、前記足挿入用開口部に対応して配置される舌状当接部と、前記舌状当接部と前記足挿入用開口部に対して配置される固定用ベルト部と、を備え、前記踵部は、前記靴底部に形成される靴底側踵部と前記アッパー本体部に形成されるアッパー本体側踵部とを有し、少なくとも前記アッパー本体側踵部には、その剛性を高めるためにカウンター部が設けられ、前記固定用ベルト部は、前記舌状当接部に対して一体的に形成され、且つその両側からそれぞれ突出するように配置され、前記固定用ベルト部のそれぞれの端部と、これらに対応するアッパー本体部には、前記固定用ベルト部をアッパー本体部に着脱可能で、位置の調整可能な状態で固定するための係合手段が形成され、前記固定用ベルト部のそれぞれの端部は、前記カウンター部の外縁部に近接して配置されると共に、前記固定用ベルト部のそれぞれの端部の幅方向における略中央部を相互に結んだ仮想線を、そのまま延長した場合に、この仮想線が、前記踵部における前記アッパー本体側踵部と前記靴底側踵部との境界部又はその近傍に達するように前記固定用ベルト部は設けられ、また、前記舌状当接部の両側に配置される、それぞれの前記固定用ベルト部を結んだ仮想線の領域に、使用者の足の甲における足高点が位置するように、前記固定用ベルト部が配置される構成となっていることを特徴とする靴により達成される。
【０００６】
請求項１の構成によれば、前記固定用ベルト部のそれぞれの端部の幅方向における略中央部を相互に結んだ仮想線を、そのまま延長した場合に、この仮想線が、前記踵部における前記アッパー本体側踵部と前記靴底側踵部との境界部又はその近傍に達するように前記固定用ベルト部は設けられている。
したがって、前記固定用ベルト部を通して、前記舌状当接部は使用者の足を靴の踵部の方向を中心に固定するように作用することとなる。このため、従来の靴のように使用者の足を靴底方向へのみ固定する場合に比べ格段にホールド性が向上し、靴先側に余裕を持たせるように踵方向を中心に足を固定できる為、靴の中で、足が動いてしまい、歩行し難くなることに伴う、足の運びや足の形への影響を防ぐことができる。
【０００７】
また、本請求項によれば、少なくとも前記アッパー本体側踵部に、その剛性を高めるために配置されるカウンター部が設けられている。
したがって、前記カウンター部が配置されることで、靴の前記アッパー本体側踵部の剛性が高められ、靴の前記踵部に使用者の足の踵が正確にホールドされ易くなる。
すなわち、前記固定用ベルト部が上述のように使用者の足を靴の踵部方向へ固定するように作用すると、この剛性が高められた前記カウンター部を介して使用者の足の踵が前記靴の踵部に押し付けられ、より確実に足の踵が靴の踵部に固定されるので、ホールド性が著しく向上することになる。
また、前記カウンター部の剛性が高い為、前記カウンター部に沿って足を移動させやすいだけでなく、靴を装着する場合に踵部が変形する事を防ぐ等、足への靴の着脱を行いやすい。
【０００８】
また、本請求項によれば、前記固定用ベルト部のそれぞれの端部は、前記カウンター部の外縁部に近接して配置されている。
したがって、固定用ベルト部が、強いカウンター部の近くに固定され、確実にホールドしているにもかかわらず、前記カウンター部と前記固定用ベルト部との間が直接固定されず、その間の剛性は高くないので、使用者の歩行時の足の変形に応じて僅かに変形可能となっている。このため、使用者が歩行に際し足を変形し易い構成となっており、歩き易い靴となっている。
これにより、使用者の足が靴の中でしっかり固定されると共に、必要に応じて屈曲も行い易いので、歩きやすい靴となる。
【０００９】
さらに、本請求項によれば、前記舌状当接部の両側に配置されるそれぞれの前記固定用ベルト部を結んだ仮想線の領域に、使用者の足の甲における足高点が位置するように、前記固定用ベルト部が配置される構成となっている。
したがって、前記固定用ベルト部が、使用者の足の甲を靴底方向に押し付けてしまい、踵が固定されずに、靴の中の足のホールド性が低下するのを効果的に防ぐことができる。
すなわち、使用者の足の甲の足高点より爪先側の足の甲に前記固定用ベルト部を結んだ仮想線の領域が配置されると、この固定用ベルト部の押し付け力は足の甲側から足の裏側に向けられ、足を靴底側のみに押し付け、足を固定しようとする。これでは、足の甲の部分を押し付けるだけで、靴の中における足の動きが大きな踵部をホールドできないため、足の踵の固定ができず、足がズレ易く、歩き難くなってしまう。
また、使用者の足首側に前記固定用ベルト部を結んだ仮想線の領域が配置されると、使用者の足首を曲げる動きを妨げてしまう。
【００１０】
この点、本請求項の構成では、前記固定用ベルト部が前記舌状当接部の両側に配置されるそれぞれの前記固定用ベルト部を結んだ仮想線の領域に、使用者の足の甲における足高点が配置されるので、不必要に足の甲を足裏側に押さえつけることがなく、足首の動きを妨げることなく、靴の踵部方向に向かって、足の踵部を固定することとなり、靴の中で足が動いてしまうことを防ぐことができる。
【００１１】
また、本請求項の構成では、前記履き口部の一部を切り欠いて爪先側方向に向かって形成されている足挿入用開口部と、前記足挿入用開口部に対応して配置されている舌状当接部とが備えられている。
したがって、この前記足挿入用開口部を広げ、前記舌状当接部を開状態にすれば、靴の履き口部が十分の大きく開口し、使用者又は介助者が足を入れ易く、脱ぎ易い靴となる。
【００１２】
しかも、舌状当接部の両側に突出するように、一体に固定ベルト部が形成されているため、固定用ベルト部の着脱のみで、舌状当接部を動かすことができ、舌状当接部の開閉や、固定用ベルト部による位置の調整に伴う、舌状当接部の当接する強さの調整を容易に行うことができると共に、左右両側に固定ベルト部が突出している事で、足の形状やサイズの違いに対応して、左右のバランスをとって装着する事ができる。
【００１３】
また、前記固定用ベルト部のそれぞれの端部と、これに対応するアッパー本体部には、前記固定用ベルト部をアッパー本体部に着脱可能で、位置の調整可能な状態で固定するための係合手段が形成されている。
したがって、足の固定及び開放は、前記固定用ベルト部の端部と前記アッパー本体部との間の係合手段を操作するだけなので、紐等によって固定する場合より極めて容易に着脱ができ、更に、位置が調整できるため、足のサイズや形状の違いに対応して、靴を歪めることなく、固定することができる。
【００１４】
以上により、本請求項の構成によれば、使用者が足を入れ易く、又は介助者が履かせ易い靴であると共に、靴を履いた後は、足が靴の踵部に押し付けられて固定されるので、ホールド性が良く歩きやすい靴となる。
【００１５】
好ましくは、請求項２の発明によれば、請求項１の構成において、前記舌状当接部の両側に配置される、それぞれの前記固定用ベルト部を結んだ仮想線の領域における下縁部側に、使用者の足の甲における足高点が位置するように、前記固定用ベルト部が配置される構成となっていることを特徴とする靴である。
請求項２の構成によれば、足高点が前記固定用ベルトを結んだ仮想線の領域における下縁部側に位置している為、仮想線の下縁部側が、足高点を中心として踵部側に向かって足を固定するよう機能し、より確実に、足を踵部に向かって固定する事ができる。
【００１６】
好ましくは、請求項３の発明によれば、請求項１又は請求項２の構成において、前記舌状当接部を前記足挿入用開口部に対応して配置した際に、その上端部が前記履き口部より高く位置するように形成されると共に、前記舌状当接部の両側に配置される、それぞれの前記固定用ベルト部を結んだ仮想線の上縁部側に、前記上端部の変形を容易にする屈曲変形部が形成されることを特徴とする靴である。
【００１７】
請求項２の構成によれば、前記舌状当接部を前記足挿入用開口部に対応して配置した際に、その上端部が前記履き口部より高く位置するように形成される。
したがって、この上端部によって、より広い面積で使用者の足を包むことになるので、舌状当接部による足のホールド性、特に足首のホールド性が高まる靴となる。
一方、この上端部により、足首のホールド性は高まるが、逆に歩行に際し行われる足首の屈曲が、この上端部で妨げられることや、足首に上端部がくい込んでしまう等のおそれがある。
そこで、本請求項では、前記舌状当接部の両側に配置される、それぞれの前記固定用ベルト部を結んだ仮想線の上縁部側に、前記上端部の変形を容易にする屈曲変形部が形成されている。
この屈曲変形部の変形により、足首の形に合わせて、履き口部から離れる方向に屈曲し易くなり、上述の歩行に際し行われる足首の屈曲が妨げられることがない。しかも、積極的に屈曲変形部が変形する為に、他の舌状当接部の変形が抑えられ、舌状当接部全体による固定は影響を受けずに、確実な固定を維持する。したがって、歩行に際し、ホールド性が高く、足首が屈曲し易い靴となる。
【００１８】
好ましくは、請求項４の発明によれば、請求項１乃至請求項３のいずれかの構成において、前記舌状当接部は前記足挿入用開口部の爪先側の端部又はその近傍の前記アッパー本体部に設けられた舌状当接部取り付け領域に固定されると共に、前記舌状当接部取り付け領域は、使用者の足の足指屈曲線又はその近傍の上方に相当する位置に形成される構成となっていることを特徴とする靴である。
【００１９】
請求項４の構成によれば、前記舌状当接部は前記足挿入用開口部の爪先側の端部又はその近傍の前記アッパー本体部に設けられた舌状当接部取り付け領域に固定されている。
したがって、前記舌状当接部を靴の爪先側に開くことができ、使用者が前記足挿入用開口部を開き、足を挿入して履く際や脱ぐ際に、前記舌状当接部が邪魔となることがない。
また、この舌状当接部は前記アッパー本体部の舌状当接部取り付け領域に縫合等により取り付けられるが、この取り付けにより取り付け部を中心として回動する方向に、舌状当接部取り付け領域は周囲の領域に比べ脆弱部となる。
そして、この脆弱部は、同時に、使用者の足の足指屈曲線又はその近傍の上方に相当する位置となる。この足指屈曲線は、歩行に際し足が屈曲する部分である。
したがって、前記舌状当接部取り付け領域は、使用者の足の足指屈曲線又はその近傍の上方に相当する位置に形成される構成となっているので、前記舌状当接部取り付け領域が屈曲し易く、歩行し易い靴となる。
【００２０】
好ましくは、請求項５の発明によれば、請求項１乃至請求項４のいずれかの構成において、前記アッパー本体部に形成された履き口部と前記足挿入用開口部とで形成される開口と、前記靴とを平面図において表した場合に、前記開口の最大長さが、前記靴の最大長さに対して４５％以上に形成されていることを特徴とする靴である。
【００２１】
請求項５の構成によれば、前記アッパー本体部に形成された履き口部と前記足挿入用開口部とで形成される開口と、前記靴とを平面図において表した場合に、前記開口の最大長さが、前記靴の最大長さに対して４５％以上に形成されている。
したがって、従来の靴に比べ著しく前記履き口部と前記足挿入用開口部とで形成される前記開口を大きく形成することができ、履きやすい。
なお、ここで示す４５％以上とは、１００％でも構わないが、靴の構造を考慮すると４５％乃至７５％、好ましくは５５％乃至７５％であることが好ましい。
【００２２】
好ましくは、請求項６の発明によれば、請求項１乃至請求項５のいずれかの構成において、前記靴が幼児用靴であることを特徴とする靴である。
【００２３】
請求項５の構成によれば、前記靴が幼児用靴であるので、幼児等が足を入れ易く、又は介助者である母親等が履かせ易い靴であると共に、靴を履いた後は、足が靴の踵部に押し付けられて固定されるので、ホールド性が良く、幼児等にとって歩きやすく、足の成長発達を妨げる事の無い幼児用靴となる。
特に歩行初期における幼児は、歩行能力が未発達であり、靴の中で足がズレた場合に応じて、足の運びを変えられないため、転倒したり、足の運び方に影響が出てしまう等の問題が大きい。また、足指の先の動きを阻害しないために爪先側に余裕を持たせた場合には、靴の中で足がズレてしまう可能性が高まるため、足の踵を靴の踵部に固定する必要性が高い。
【００２４】
好ましくは、請求項７の発明によれば、請求項１乃至請求項４の構成において、前記舌状当接部の靴幅方向中央領域に、靴の爪先側から足首側にわたって位置決め部が形成されていることを特徴とする靴である。
【００２５】
請求項６の構成によれば、前記舌状当接部の靴幅方向中央領域に、靴の爪先側から足首側にわたって位置決め部が形成されている。
このため、この位置決め部により使用者若しくは介助者が舌状当接部を左右均等に配置しやすいと共に、位置決め部によって保形性が高まること等によって、前記舌状当接部の使用者の足の甲の部分に対応する部分に不必要な歪みが生ぜず、舌状当接部が確実に機能して、使用者の歩行を阻害することを未然に防ぐことができる。
【００２６】
好ましくは、請求項８の発明によれば、請求項７の構成において、前記舌状当接部には剛性を有する剛性層が形成され、前記位置決め部は前記剛性層を縫合することにより形成され、前記縫合により成る縫合線が前記固定用ベルト部のそれぞれの端部の幅方向における略中央部を相互に結んだ仮想線と略垂直に交差する構成であることを特徴とする靴である。
【００２７】
請求項７の構成によれば、前記舌状当接部には剛性を有する剛性層が形成され、前記位置決め部は前記剛性層を縫合することにより形成されている。
このため、舌状当接部が不用意に変形する事が無く、確実に足を固定すると共に、前記剛性層を縫合することで剛性が更に高まり、保形性が高まる構成となっている。
また、前記縫合により成る縫合線が前記固定用ベルト部のそれぞれの端部の幅方向における略中央部を相互に結んだ仮想線と略垂直に交差する構成である。
このため、靴幅方向の略中央部の前記縫合線を基準に両側の前記固定用ベルト部に向かって等しく力が働き易くなるので、精度良く前記舌状当接部を前記アッパー本体部に装着することができ装着時に靴の歪みが発生する事を防止する。
【００２８】
好ましくは、請求項８の発明によれば、請求項１乃至請求項７のいずれかの構成において、前記舌状当接部に対して一体的に形成され、且つその両側からそれぞれ突出するように配置されている前記固定用ベルト部のうち、靴の内足側に配置される前記固定用ベルト部が、靴の外足側に配置される前記固定用ベルト部より短く形成されていることを特徴とする靴である。
【００２９】
請求項９の構成によれば、前記固定用ベルト部のうち、靴の内足側に配置される前記固定用ベルト部が、靴の外足側に配置される前記固定用ベルト部より短く形成されている。
すなわち、人の足の骨格のうち、甲の最も高い部分は、足高点と呼ばれるが、この足高点から内足側の長さと外足側の長さは同じではなく、内足側の方が短く成っている。
このため、この足の骨格に対応して前記固定用ベルト部の内足側の長さを短く形成している。したがって、前記内足側の固定用ベルト部が長すぎて遊びが生じ、左右の靴の内足側の固定用ベルト部が相互に接触して、使用者の歩行を阻害することがない。
【発明の効果】
【００３０】
以上述べたように、本発明によれば、使用者の足を挿入し易く、かつ、挿入した足を十分に固定できる、履き易く且つホールド性に優れた歩き易い靴を提供することができる。
【発明を実施するための最良の形態】
【００３１】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００３２】
（第１の実施の形態）
（本発明の第１の実施の形態に係る歩行練習期の幼児用靴（以下、「幼児用靴１００という」の全体構成の概略について。）
図１は、本発明の第１の実施の形態に係る幼児用靴１００を示す概略斜視図である。
図１に示すような幼児用靴１００は、月齢が経ち、幼児が１人で前に向かって歩くことができるようになり始め、足の裏全体を地面につけて足の指でバランスを取りながら歩き始める、いわゆる歩行練習期以降に用いられる幼児用靴である。
具体的には、月齢が例えば１２ヶ月程度の幼児からが対象となる。この月齢の幼児は、手を離して前によちよち歩き始める月齢となる。
図１に示すように、使用者である幼児等の足の足裏側を配置するための靴底部１１０と、前記靴底部１１０から立ち上がるように、且つ幼児等の足を包むように形成されるアッパー本体部１２０と備えている。
【００３３】
（靴底部１１０について）
図２は図１の幼児用靴１００の中央縦断図を示す概略図である。
図２に示すように、靴底部１１０は、その表面側に靴底本体１１２が配置され、この靴底本体１１２の内側には中底１１１が形成されている。
【００３４】
（靴底本体１１２について）
靴底本体１１２は、弾性部材である熱可塑性のエラストマーや合成ゴム若しくは天然ゴム等で形成されているため、歩く際の衝撃を吸収し、滑り止め効果も発揮するように構成されている。
図３は、図１の靴底本体１１２を示す概略底面図である。
図２及び図３に示すように、靴底本体１１２の爪先側には溝部１１２ａが複数形成され、これら溝部１１２ａは靴底本体１１２の幅方向に形成されている。
このため、靴底本体１１２が靴底本体１１２ａの位置で靴底本体１１２の長さ方向に屈曲し易い構成となっている。
また、靴底本体１１２には、円形等の異なった複数の種類の滑り止め部１１２ｂも形成されているので、滑らずに歩行し易い構成ともなっている。
【００３５】
（溝部１１２ａと足指屈曲線等Ｃとの関係について）
ところで、幼児等が歩行や爪先立ちをする際には、踵を上げて足指を屈曲や背屈させる動作をよく行い、このとき、この足指の屈曲する部分が、足指屈曲線といわれている。図４は、足の骨格等を上面から示す概略説明図である。
図４に示すように、足指は親指側である第１趾から小指側である第５趾まで配置され、その各指の中足指関節及びその周辺である、図において矢印Ｃで示す領域に足指屈曲線又はその近傍である足指屈曲線等Ｃが形成される。
この足指屈曲線等Ｃに沿って屈曲する足の屈曲運動は歩行及び足の発育に際し、重要な動作であるため、歩行が上手くできなず、足の発育が未発達な幼児等のための靴では、この足指屈曲線等Ｃに沿って屈曲し易い靴であることが重要な要素となる。
【００３６】
本実施の形態の幼児用靴１００の靴底本体１１２のうち、前記足指屈曲線等Ｃに対応する部分には、図３に示すように溝部１１２ａが複数、爪先側にふくらんだ曲線形状で形成されている。
したがって、幼児等が歩行に際し、足指屈曲線等Ｃを屈曲する際、靴底本体１１２の溝部１１２ａも追従して変形、屈曲し、幼児等の歩行に際し行われる足指の屈曲を妨げない構成となっている。
なお、ここでは、屈曲しやすいよう溝部１１２ａを形成しているが、同様に屈曲し易ければ、靴底本体１１２を硬い素材で構成し、溝部１１２ａに対応した部分が軟らかい材料で形成されるようにしても良い。
【００３７】
（アッパー本体部１２０について）
図１に示すように、前記靴底部１１０から立ち上がるように、且つ幼児用の足を包むように形成されるアッパー本体部１２０が配置されている。
このアッパー本体部１２０は、アッパー本体１２１、履き口部１２２、そして、足挿入用開口部１２３、踵部１４０等から形成されている。
【００３８】
（アッパー本体１２１、履き口部１２２及び足挿入用開口部１２３について）
アッパー本体１２１は、全体が通気性に富んだ、柔らかい材質等で覆われ、アッパー本体１２１の上端部に、図１に示すように幼児等の足を挿入するための履き口１２２が形成されている。
図５は、図１の幼児用靴１００の後述する舌片１３０を爪先側に開いた状態を示す概略平面図である。
図５に示すように、前記履き口部１２２の一部を切り欠いて爪先側方向に向かって足挿入用開口部１２３が略Ｕ字状に形成されている。
【００３９】
この履き口部１２２の開口と足挿入用開口部１２３の開口とが連続した開口を形成するため、幼児等が足を挿入しやすい大きな開口を形成することができる。
本実施の形態では、図５に示すアッパー本体１２１に形成された履き口部１２２と足挿入用開口部１２３とで形成される開口と幼児用靴１００とを平面図（図５）において表した場合に、前記開口の最大長さＧは、例えば７５ｍｍ乃至９０ｍｍ程度に形成され、幼児用靴１００の全長Ｄが例えば１３５ｍｍ乃至１６０ｍｍ程度に形成されている。
したがって、前記開口の最大長さＧは前記幼児用靴の全長Ｄに対して４５％以上という大きな開口となり、極めて足を挿入しやすく、保護者等が履かせ易く、幼児等が履き易い靴となる。
なお、この比率４５％以上とは１００％でも構わないが、靴の構造を考慮すると４５％乃至５５％、好ましくは５５％乃至７５％であることが好ましい。
また、図１に示すように、履き口部１２２の近傍にはカウンターループ１６０が形成され、幼児等が靴を履く際の手がかりとなるように構成されている。
【００４０】
（踵部１４０について）
図１に示すように、幼児等の足の踵を配置するための踵部１４０がアッパー本体１２１から靴底部１１０にまたがっての形成されている。
この踵部１４０は、具体的には図２及び図６（ａ）に示す、靴底部１１０の一部に形成される靴底側踵部１４２と、アッパー本体１２１に形成されるアッパー本体側踵部であるアッパー側踵部１４１とで構成される。
そして、このアッパー側踵部１４１には、図２に示すように、その剛性を高めるためにカウンター部１５０が配置されている。
これは、上述のようにアッパー本体１２１は柔らかな素材で構成されているため、幼児等の踵を保持するには剛性が不足するからである。
【００４１】
一方、靴底側踵部１４２は、靴底本体１１２が弾性部材である熱可塑性のエラストマーや合成ゴム若しくは天然ゴム等で形成されており、踵を保持するための十分な剛性を有するため、カウンター部１５０が配置されていないが、この靴底側踵部１４２にカウンター部１５０を配置しても構わない。
カウンター部１５０は、図２や図６の斜線部分に示すように、例えば側面からみて円弧状に配置され、厚さ１．２ｍｍ程度のゴムや不織布等から構成されている。
このようにアッパー側踵部１４１に、カウンター部１５０を配置することで剛性が高められ、後述するように固定ベルト１３３で固定された際に、幼児用靴の踵部１４０に幼児等の足の踵が正確にホールドされると共に、着脱を行いやすくなる。
【００４２】
（舌片１３０について）
ところで、前記略Ｕ字状の足挿入用開口部１２３に対し、これを塞ぐように舌状当接部である舌片１３０が図１に示すように配置されている。
この舌片１３０は、表面がポリウレタン合皮やマイクロスウェード等の一定の剛性を有する素材で形成され、確実に固定でき、内側はポリエステルや、トリコット等の柔軟性の富む素材により構成されている。
なお、舌片１３０及び固定ベルト１３３の外周をポリエステル等でパイピングして、伸び等を抑え、更に、開く際の指かかりが良くなるように構成してもよい。
そして、舌片１３０は、アッパー本体１２１に対して固定される部分である基部１３１を有し、この舌片１３０を前記足挿入用開口部１２３に対して配置した場合に、履き口部１２２の上端より高く位置するように形成されている上端部１３２と、舌片１３０をアッパー本体１２１に固定するための固定用ベルト部である固定ベルト１３３を有している。
【００４３】
（基部１３１について）
図１に示すように舌片１３０の基部１３１は、前記略Ｕ字状の足挿入用開口部１２３の爪先側の端部又はその近傍のアッパー本体１２１に設けられた舌状取り付け領域である縫合部１２４に縫合等されている。
この縫合部１２４によって前記舌片１３０を固定するため、自由端側となる舌片１３０の上端部１３２側を図５に示すように、幼児用靴１００の爪先側に倒すことができ、使用者等が足挿入開口部１２３を図５に示すように開状態にし、足を挿入して履く際に、前記舌片１３０が邪魔になることがない。
したがって、幼児等が足を入れやすく履きやすい幼児用靴１００となる。
また、この縫合部１３１は、図６に示すように図３で示す溝部１１２ａの上方における、特に爪先側に形成されている。
【００４４】
図６は図１の幼児用靴１００の左側面とカウンター部を示した概略左側面図である。
靴底部１１０に形成されている溝部１１２ａの配置領域は、上述のように、図３で示す幼児等の足の足指屈曲部Ｃが配置される部分である。
したがって、幼児等の足の足指屈曲線等Ｃの上方に縫合部１２４が形成されることになる。
ところで、この縫合部１２４は、縫合等によりアッパー本体１２１の他の部分より脆弱部となるため、縫合部１２４を中心として回動する方向に屈曲し易い部分となっている。
したがって、歩行に際し、幼児等が足の足指屈曲部Ｃを屈曲させると、その屈曲動作により、その上方にあるアッパー本体１２１の縫合部１２４も屈曲し、歩行に際し、必要な足指の屈曲を妨げない歩行し易い靴となる。
【００４５】
特に、足指屈曲線Ｃに対応して靴底本体１１２の溝部１１２ａも屈曲するので、幼児等の足指屈曲に対応して靴底部１１０とアッパー本体１１２が屈曲することになり、極めて足指屈曲線Ｃの位置が屈曲し易い歩行し易い幼児用靴となる。
図７は、幼児用靴１００を幼児等が履いて足指を屈曲して歩行している状態を示す概略説明図である。
図７に示すように足指の屈曲に対応して靴底部１１０の溝部１１２ａとアッパー本体１１２の縫合部１２４が屈曲する構成となっている。
【００４６】
（固定ベルト１３３について）
図１に示すように、舌片１３０の両側には固定用ベルト部である固定ベルト１３３が形成されている。この２つの固定ベルト１３３は舌片１３０に対して一体的に形成され、且つその舌片１３０の両側からそれぞれ突出するように略対称に配置されている。
この固定ベルト１３３の端部である先端部の内側には、図５に示すように係合手段であるベルト側面ファスナー１３３ａがそれぞれ形成されている。
また、このベルト側面ファスナー１３３ａに対応して、図５に示すようにアッパー側面ファスナー１２１ａが形成されている。
【００４７】
このため、これらベルト側面ファスナー１３３ａとアッパー側面ファスナー１２１ａとを幼児等の母親等や幼児自身等が操作すれば容易に着脱可能で位置の調整も可能な係合手段となるように構成されている。
したがって、足の幼児用靴１００に対する固定や開放は、前記固定ベルト１３３の先端部のベルト側面ファスナー１３３ａとアッパー側面ファスナー１２１ａとの間の係合状態を操作するだけなので、従来のように紐等によって固定する場合よりも極めて容易に着脱をすることができる。
また、ベルト側面ファスナー１３３ａとアッパー側面ファスナー１２１ａとの係合位置を調整することができるため、幼児の足のサイズや足首の太さ等の形状の違いに対応して、任意の位置に固定することができる。この時、ベルト側面ファスナー１３３ａがアッパー側面ファスナー１２１ａよりも大きく形成されている為、ベルト側面ファスナー１３３ａを適切な位置に調整する事ができる。
更に、固定ベルト１３３は舌片１３０の両側に突出するように形成されているため、締める力を均等とすることができ、アッパー１２０を歪めることなく、固定することができる。
なお、ここでは、面ファスナー１３３ａ、１２１ａを略長方形としているが、固定ベルト１３３の接合強度を強め、確実に固定できるよう、足挿入開口部１２３側に延伸させてもよい。
【００４８】
（固定ベルト１３３と踵部１４０等との関係について）
図６に示すように固定ベルト１３３のそれぞれの先端部の幅方向における略中央部を相互の結んだ仮想線Ｈをそのまま延長した場合に、この仮想線Ｈが、踵部１４０における図２に示すアッパー側踵部１４１と靴底側踵部１４２との境界部又はその近傍に達するように固定ベルト１３３は配置されている。
また、この仮想線Ｈを延長して、図６（ａ）に示す載置面（床）の仮想線Ｋと交差する部位における角度θは、例えば３０度乃至４０度となっている。
したがって、幼児等が幼児用靴１００を履き、図１に示すように固定ベルト１３３を締める。すなわち、固定ベルト１３３の先端部のベルト側面ファスナー１３３ａをアッパー側面ファスナー１２１ａと係合させると、固定ベルト１３３は、幼児等の足を幼児用靴１００の踵部１４０の方向へ固定するように作用することになる。
【００４９】
これにより、本実施の形態の幼児用靴１００は、従来の幼児用靴のように幼児等の足を靴底部１１０側に略垂直方向に固定する場合に比べ格段にホールド性が向上すると共に、爪先側に足がズレてしまう事を防ぐ為、後述するように爪先側に余裕を持たせても、幼児等の歩行に伴う足指屈曲や背屈を妨げることなく、足を靴にホールドできる。また、幼児用靴１００の中で足が動いてしまい、歩行し難いことに伴う、足の運びや足の形のへの影響を未然に防ぐことができるので、歩行しやすく、成長発達を妨げない幼児用靴１００となる。
【００５０】
なお、この固定ベルト１３３の固定方向は上述のように踵部１４０の方向であり、この踵部１４０には図２等に示すようにカウンター部１５０が配置され、踵部のうち、特にアッパー側踵部１４１の剛性が高められている。
このため、幼児等の足を前記固定ベルト１３３で幼児用靴１００の踵部１４０方向へ固定すると、この剛性が高められたカウンター部１５０を介して幼児等の足の踵が幼児用靴１００の踵部１４０に押し付けられ、より確実に足の踵が踵部１４０に固定されるので、幼児等の足の靴に対するホールド性が著しく向上することになる。
更に、カウンター部１５０に沿って、足の移動が行いやすくなると共に、特に靴を履く際にアッパー側踵部１４１が変形する事が無い為、靴の着脱を容易に行う事ができる。
【００５１】
ところで、固定ベルト１３３の２つの先端部は、図６に示すように、このカウンター部１５０の外縁部１５１と近接して配置される構成となっている。
したがって、カウンター部１５０に固定ベルト１３３の２つの端部である先端部が直接、固定されない構成となっている。
したがって、この先端部とカウンター部１５０の外縁部１５１との間が直接固定されず、その間にはアッパー本体１２１の柔らかい素材が配置された離間部分となり、離間部分の剛性は高くないので、幼児等の歩行時に行う足指や足首の屈曲等に伴う足の変形に応じて、この柔らかい素材部分である離間部分が変形し、足に負担をかけない構成となっている。
このため、幼児等の足が幼児用靴１００内でしっかり固定されると共に、必要に応じて、上述のように柔らかい素材部分である離間部分が変形するので、幼児等にとって歩きやすい靴となる。
【００５２】
（舌片１３０と足の足高点等との関係について）
図８は人における足の骨格等の側面から見た概略説明図である。
図８に示すように人の足には矢印Ｂで示す部分に足高点Ｂと称される部分がある。
図９は、図１の幼児用靴１００の平面を示す概略平面図である。
本実施の形態の幼児用靴１００は、図１及び図９に示すように、２つの固定ベルト１３３を結んだ舌片１３０の中央部における上縁部側及び下縁部側の仮想線に挟まれた足高点仮想領域Ｉに、幼児等の足の甲における図８の足高点Ｂが配置されるように舌片１３０は構成されている。特に、足高点Ｂが足高点仮想領域Ｉにおける下縁部側に位置していることが好ましい。
したがって、固定ベルト１３３が、幼児等の足の甲を靴底部１１０方向に垂直に押し付けてしまい、踵が固定されずに、幼児用靴１００の中の足のホールド性が低下するのを効果的に防ぐことができる。
【００５３】
すなわち、幼児等の足の甲の足高点Ｂより、図１において爪先側の足の甲に２つの固定ベルト１３３の足高点仮想Ｉが配置されると、この固定ベルト１３３の押し付け力は、足の甲側から足の裏側に垂直方向に向けられ、足を靴底部１１０側のみに押し付けて、足を固定しようとする。
これでは、足の甲の部分を押し付けるだけで、幼児用靴１００の中における足の動きが大きな踵の固定ができず、足全体の前後方向へのズレや、踵の上下方向へのズレ等を防ぐ事ができず、足が靴の中でズレやすく、歩き難くなってしまう。
また、幼児等の足首側に２つの固定ベルト１３３の下縁部側を結んだ足高点仮想領域Ｉが配置されると、幼児等の足首の曲げる動きを妨げてしまう。
【００５４】
一方、足の屈曲を考慮して固定ベルト１３３の前記押し付け力を弱めると、足が靴の中で固定されず、やはり歩き難い靴となってしまう。
この点、本実施の形態の幼児用靴１００では、２つの固定ベルト１３３を結んだ舌片１３０の中央部における上縁部側及び下縁部側の仮想線に挟まれた足高点仮想領域Ｉの内、特に下縁部側に、幼児等の足の甲における図８の足高点Ｂがに配置されるように舌片１３０及び固定ベルト１３３は構成されているので、幼児等の足を靴底部１１０方向に略垂直方向に押し付けることがなく、明確に高くなっている足高点Ｂから幼児用靴１００の踵部１４０に向かって足が前後方向に移動しないよう保持し、結果的に踵の上下方向への移動も防ぐ為、幼児等の足指屈曲を妨げることなく、足を靴に固定でき、ホールド性が向上することとなる。
すなわち、固定ベルト１３３を結んだ仮想領域Ｉが、足高点Ｂから爪先側の足の甲に配置されるのを有効に防止できるので、より精度良く幼児の足を幼児用靴１００の踵部１４０側に向かって保持することができ、幼児等の足のホールド性がより高まる幼児用靴１００となる。
また、固定ベルト１３３を結んだ仮想領域Ｉが幼児等の足首側に配置されることも未然に防止することができるので、幼児等の足首の動きを妨げることもない。
【００５５】
また、固定ベルト１３３は図１や図９に示すように、舌片１３０に対し一体的に形成され、且つその両側である左右方向にそれぞれ突出するように略対称に配置されている。
したがって、幼児等の足を固定するために固定ベルト１３３を操作した際、固定ベルト１３３の締め付け量の偏りに伴う、幼児用靴１００の歪みを低減することができる。また、２つの固定ベルト１３３に均等に力をかけることになるため、図８の足の甲の足高点側から踵点方向に正しく力を加えることができ、幼児等の足の踵を幼児用靴１００の踵部１４０にしっかりとホールドさせることができる。
すなわち、舌片１３０の両側に突出して形成されている固定ベルト１３３で固定するので、これら舌片１３０と固定ベルト１３３によって、しっかりとバランス良く足を靴内にホールドすることができる
【００５６】
（上端部１３２について）
図１に示すように舌片１３０を前記足挿入用開口部１２３に対して配置した場合に、履き口部１２２の上端より高く位置するように上端部１３２が形成されている。
この上端部１３２によって、幼児用靴１００を履いた際に、挿入開口部１２３によって足の前方向に隙間ができる事を防ぎ、舌片１３０はより広い面積で幼児等の足を包むことになるので、足の靴に対するホールド性、特に足首のホールド性が高い幼児用靴１００となる。
【００５７】
このように舌片１３０に上端部１３２を形成することで足のホールド性は高まるが、逆に歩行に際し行われる足首の屈曲が、この上端部１３２がくい込んでしまうなど妨げられるおそれがある。
例えば、図７に示すように幼児等の足首を爪先側に屈曲した際に舌片１３０の上端部１３２が幼児等の足首に当接して、足首の屈曲を妨げるおそれがある。
そこで、本実施の形態の幼児用靴１００では２つの固定ベルト１３３の上縁部側を結んだ仮想線上に屈曲変形部であるステッチ１３２ａが爪先側にふくらむ曲線で形成されている。
このステッチ１３２ａは縫合等によって構成され、このステッチ１３２ａによって上端部１３２はその基部側ステッチ１３２ａを回動軸とした変形が容易になっている。
そして、このステッチ１３２ａの変形により、図７に示すような上端部１３２の変形、具体的には足首の屈曲に追従した、爪先側への屈曲が生じ、歩行に際し、ホールド性が高く、足首の屈曲を妨げない、歩行しやすい幼児用靴１００となる。
【００５８】
（インソール２００について）
図２に示すように、本実施の形態の幼児用靴１００の中底１１１の上には、脱着可能な中敷きであるインソール２００が設けられている。
図１０はインソール２００の概略低面図であり、図１０（ｂ）は図１０（ａ）のＡ−Ａ'線概略断面図である。
図１０（ａ）に示すように、インソール２００は幼児用靴１００の中底１１１の形状に合わせ形成され、柔らかい材質である例えば発泡ＥＶＡ樹脂や発泡ポリエチレン等により形成されている。
このインソール２００の底面側には図１０（ａ）（ｂ）に示すように、屈曲用溝部２０１が例えば６本形成されている。
【００５９】
この複数設けられた屈曲用溝部２０１は、図３の靴底本体１１２に形成されている溝部１１２ａと同様の領域、すなわち、足指屈曲線等Ｃに対応する位置に爪先側にふくらんだ曲線で形成されている。
このようなインソール２００は、靴内におけるフィット性を高めるためや、幼児等の足が幼児用靴１００のサイズに比べ若干、小さい場合等にサイズを調整等するために配置される。
このようにインソール２００を幼児用靴１００の中底１１１に配置した場合でも、本実施の形態ではインソール２００にも、靴底本体１１２の溝部１１２ａと同様の屈曲用溝部２０１が同様の形状で同様の位置に設けられている。
したがって、幼児等が歩行に際し上述のように足指屈曲等を行う際、インソール２００がその屈曲を妨げることなく、歩行しやすい幼児用靴１００となる。
【００６０】
（トウアッパー１２５について）
図１１は、図１の幼児用靴１００のトウアッパー１２５を靴幅方向に切断した状態を示す概略断面図である。
このトウアッパー１２５は、アッパー本体１２１の柔らかい材質の上に舌片１３０と同様に、例えば合成皮革等で覆うことや、カウンター１５０と同様な補強を行うことで他の部分より剛性が高められるように構成されている。
具体的には、このアッパー１２５の合成皮革等は、図１に示すその外縁部１２５ａが、縫合部１２４の位置又はそれより爪先側に配置されるので、図７に示すように足指を屈曲する際に、縫合部１２４等の屈曲を妨げず、外縁部１２５ａも縫合されているため、脆弱部として機能して外縁部１２５ａを回動軸として屈曲し易い構成となっている。
一方、幼児用靴１００の爪先部であるトウアッパー１２５自体は、爪先部を保護する為にも、他の部分より剛性を高める必要もあるので、上述のように足指の屈曲や背屈を妨げない範囲で剛性が高められている。
【００６１】
また、図１１に示すように、幼児用靴１００のトウアッパー１２５の内側における高さは、幼児の足の親指が配置される部分が最も厚く、小指が配置される部分に向かって漸次薄くなるように形成されている。
すなわち、トウアッパー１２５の内側における親指との間の上下方向における隙間部が、他の足指と前記爪先部の内側との隙間部に比べ大きくなるように形成されている。
【００６２】
このように親指と前記爪先部との間に最も隙間部が形成されているのは、幼児に多く見られる動きである歩行に際して親指の背屈を行っても、この親指の背屈動作を前記爪先部が阻害しないためである。
この親指の背屈を行うことで、歩行時における身体のバランスを保つだけでなく、足の筋の運動となり、扁平足を未然に防止し、歩行における運動機能の発達を促す事となる。
このように幼児が歩行に際して、バランスを保つため、幼児用靴１００の内部で親指を背屈することが可能であるので、円滑な歩行練習ができる構成ともなっている。
【００６３】
（側面皮革部１２６について）
図１に示すように。幼児用靴１００のアッパー本体部１２０には、靴底部１１０に沿って、靴の側面に側面皮革部１２６が形成されている。
この側面皮革部１２６は、トウアッパー１２５と同様に合成皮革等が配置されている。
そして、この側面皮革部１２６の図１においてトウアッパー１２５の近傍には切り欠き部１２６ａが形成され、側面皮革部１２６が部分的に薄く成っている。
この切り欠き部１２６ａは、図１１の小指が外側に向かって大きく広げても、小指はアッパー本体１２１のやわらかい材質の部分に当接し、側面皮革部１２６には当接しないので、幼児等が歩行に際し、アッパー本体１２１がやわらかいため、小指の動きを妨げず、小指を広げやすい構成となっている。
さらに、トウアッパー１２５についても、図１１に示すように、小指が配置される部分の外側に隙間部が形成され、靴底部分１１０における幅となり、切り欠き部１２６ａと合わせて、指を開く動きを妨げないよう構成されている。
【００６４】
すなわち、幼児等は歩行に際し、ふらついたときに足指を広げてバランスを保とうとする。
特に小指を大きく外側に向かって広げることで、バランスを保っていることが知られている。
したがって、本実施の形態に幼児用靴１００は幼児等が歩行に際しバランスをとるために親指を背屈し易く、小指を広げ易い靴となる。
更に、切り欠き部１２６ａは、靴底本体１１２における溝部１１２ａや、アッパー１２０における縫合部１２４と同様に、図４に示す足指屈曲線等Ｃの近傍に形成されている。
【００６５】
このため、図７に示すように、歩行等によって、足指を屈曲した際に、切り欠かれたことによって、剛性が弱まっていることに伴い、屈曲しやすい。
また、図６に示す親指側も側面皮革部１２６を凹むように湾曲させることで、切り欠きはないものの、同様に湾曲に伴って剛性が弱まり屈曲し易くしている。
さらに、図６に示されるように、爪先部は先端に向かって反るようなトゥスプリング１２９が形成されており、足を引きずるように歩く傾向が見られる幼児がつまづきずらい構成とされている。
【００６６】
（幼児用靴１００の使用方法等について）
本実施の形態に係る幼児用靴１００は、以上のように構成されているが、以下のその使用方法等について説明する。
ここでは、介護者である母親等が、子である幼児に幼児用靴１００を履かせることを例に説明する。
【００６７】
先ず、母親は図１に示す幼児用靴１００の２つの固定ベルト１３３を把持し、面ファスナー１３３ａ、１２１ａの係合を解除させる。
その後、図５の舌片１３０の上端部１３２を把持し、舌片１３０の縫合部１２４側の固定端を中心に、自由端である他の部分を靴の爪先側に倒す。この状態を示したのが図５である。
【００６８】
図５に示すように履き口１２２と足挿入用開口部１２３で形成される開口の最大長さＧは、幼児用靴１００の全長Ｄに比べ、例えば約６０％にも達するため、格段に大きな開口を形成することができる。
したがって、カウンター部１５０が剛性を有している事もあり、母親が幼児の足を挿入させやすく、履かせ易い幼児用靴１００となる。
【００６９】
次に、母親は上述と逆に、舌片１３０を図１の状態に戻し、両側に配置される２つの固定ベルト１３３の面ファスナー１３３ａをアッパー本体１２１の面ファスナー１２１ａと係合させ、位置を調整しながら固定する。
したがって、紐等によって固定するのと異なり母親等は容易に、幼児に幼児用靴１００を履かせることができる。また、固定ベルト１３３の位置調整が可能なため、適当な位置に固定ベルト１３３を配置できるので、最適な状態で幼児に幼児用靴１００を履かせることができる。
このとき、固定ベルト１３３は図９に示すように、左右略対称位置に配置されている。このため、固定ベルト１３３の締め付けすぎにより、幼児用靴１００が歪むことがない。
【００７０】
また、この固定ベルト１３３は、幼児の足の甲を靴底方向に押し付けるのではなく、踵方向に向かって固定するので、歩行の邪魔に成らずに足が靴の内部で固定される。
したがって、本実施の形態の幼児用靴１００は、母親等が幼児等に履かせ易い靴であると共に、靴を履いた後は、足が幼児用靴１００の踵部１４０に向かって固定されるので、ホールド性が高く、成長発達を妨げる事の無い歩き易い幼児用靴１００となる。
特に歩行初期における幼児等は、歩行能力が未発達であり、幼児用靴の中で足の位置がズレた場合、足の運びを変えられないため、転倒したり、足の運び方に影響が出てしまう等の問題が多かった。本実施の形態の幼児用靴１００では、幼児等の足の踵が幼児用靴１００の踵部１４０にしっかりホールドされるので、靴の中で足の位置がズレ難くなる。
また、幼児等の足指の先の動きを阻害しないために靴の爪先側に余裕（隙間）を持たせた幼児用靴の場合は、特に靴の中で足の位置が前後方向にズレてしまう可能性が高まる。
【００７１】
本実施の形態の幼児用靴１００では、このような爪先側に隙間を敢えて配置した幼児用靴であっても、幼児等の足の踵を幼児用靴１００の踵部１４０でしっかりホールドする構成なので、靴の中で足の位置がズレ難い幼児用靴１００となっている。
【００７２】
（第２の実施の形態）
第２の実施の形態に係る歩行練習期の幼児用靴（以下「幼児用靴」という）３００の構成のうち、上述の第１の実施の形態の幼児用靴１００の構成と重複する部分は同一符号等として説明を省略し、以下、相違点を中心に説明する。
図１２は、本実施の形態に係る幼児用靴３００を示す概略斜視図である。
幼児用靴３００は、図１と同様に靴底部３１０とアッパー本体部３２０と備えている。
【００７３】
（靴底部３１０について）
図１３は図１２の幼児用靴３００の中央縦断図を示す概略図である。
図１３に示すように、靴底部３１０は、その表面側に靴底本体３１２が配置され、この靴底本体３１２の内側には中底３１１が形成されている。
【００７４】
（履き口部３２２等について）
アッパー本体３２１は、図１のアッパー本体１１２と同様に、全体が通気性に富んだ、柔らかい材質等で覆われ、アッパー本体３２１の上端部に、図１２に示すように幼児等の足を挿入するための履き口３２２が形成されている。
図１４は、図１２の履き口部３２２を開状態にした概略平面図である。
また、図１４に示すように、足挿入用開口部３２３が履き口部３２２と連接して形成されている。
このように、履き口部３２２と足挿入用開口部３２３とが連接して形成されているため、幼児用靴１００と同様に、幼児等が足を着脱しやすい大きな開口を形成可能な構成となっている。
【００７５】
図１２及び図１３に示すように、履き口部３２２の開口端部３２２ａには、その内部に緩衝手段である例えばスポンジ３２２ｂが配置されている。
このスポンジ３２２ｂは、例えばポリウレタンやＥＶＡ等の材質で形成されている。
このように履き口部３２２の開口端部３２２ａにスポンジ３２２ｂが配置されることにより、履き口部３２２は使用者の足首に柔らかく当接するので、履き心地がよくなると共に、足首の屈曲を妨げる事が無い。
また、図１５はカウンター部１５０等の配置状態等を示す概略図である。
【００７６】
（舌片３３０等について）
ところで、図１５に示すように、足挿入用開口部３２３に対応して舌状当接部である舌片３３０が配置されている。
この舌片３３０は、アッパー本体部３２０の足挿入用開口部３２３に対応して、これを塞ぐように、すなわち図１２に示すように配置されると、舌片３３０の上端部である舌片上端部３３１（図１５参照）が履き口部３２２より上方に突出するように位置している。
このため、使用者が幼児用靴３００を履いた際に、舌片３３０、特に舌片上端部３３１は、使用者の足首と離間することなく、足首に沿って配置される。
すなわち、使用者の足首と舌片３３０との間の隙間が生じるのを未然に防止し、幼児用靴３００内における足の不必要な動きを防ぐことができ、使用者が歩き易い幼児用靴３００となる。
また、使用者が幼児用靴３００を履いた際のフィット感が向上し、使用者の足首の屈曲部位が舌片３３０によって適度に固定されることになる。
【００７７】
ところで、舌片３３０の履き口部３２２側（靴の内部側）である内側には、図１３に示すように緩衝層である例えば緩衝部３３３が配置されている。
この緩衝部３３３は、例えばスチレンブタジエンゴム（ＳＢＲ）やポリウレタン等（一例を記入してください）のスポンジが裏地等に覆われて形成されている。
また、緩衝部３３３の図１３の外側には、剛性層である剛性部３３２が配置されている。
この剛性部３３２は、例えばキャンバスやトリコット（ＴＣ）等の芯地３３２ｂと、マイクロスウェードやポリウレタンによる合成皮革、天然皮革等よりなる表地３３２ａ等から形成されており、比較的変形しずらい強さを有している。
【００７８】
このように２層に形成されている舌片３３０の図１３における履き口部３２２側の剛性部３３２を除去することで、伸縮性を備える緩衝手段である例えばクッション部３３１ａが形成されている。
なお、この剛性部３３２とクッション部３３１ａの境界線からクッション部３３１ａにかけてが、本実施例における屈曲変形部に該当する。
すなわち、図１４及び図１５に示すように舌片３３０の舌片上端部３３１の一部に例えば略半円形にクッション部３３１ａを形成する。
【００７９】
図１６は、使用者の歩行状態等を示す概略説明図である。
図１６に示すように、使用者が爪先立ちや歩行する際に、クッション部３３１ａが足首の屈曲に追従して、若しくは同期して伸縮するので、舌片３３０が使用者の足首の動きを阻害することなく、使用者はより自然に足首を動かすことができ、歩き易い幼児用靴３００となる。
すなわち、従来の靴と異なり、使用者が歩行する際に、舌片の上端部が
足首の屈曲する部位に食い込むことがない。
また、幼児用靴３００を履く際においても、舌片上端部３３１が足首に食い込む事が無い為、しっかりと舌片３３０を装着する事ができる。
【００８０】
また、クッション部３３１ａは、舌片３３０から剛性部３３２の一部を除去することで形成できるので、別のクッション部を更に設ける場合に比べ、容易に設けることができ、コストダウンを図ることができる。
【００８１】
図１７は、図１４のＹ−Ｙ'線概略断面図である。
図１７は図１３の矢印Ｚで示す部分に概略拡大図でもある。
図１７に示すように剛性部３３２は、表地３３２ａと芯地３３２ｂとを有している。そして、この表地３３２ａと芯地３３２ｂが強さを有しているので、剛性が強く、容易に変形等し難い構成となっている。
一方、緩衝部３３３は、図１７に示すように、スポンジ３３３ａが裏地３３３ｂで挟まれるように成っている。上述のように、スポンジ３３３ａはスチレンブタジエンゴム（ＳＢＲ）やポリウレタン等で形成されているので、弾力性があり伸縮性を備える構成となっている。
また、クッション部３３１ａは、図１７に示すように緩衝部３３３が折り返されて、端部が剛性部１３２の下側に位置しており、実質的に緩衝部３３３がクッション部３３１ａでは二重とされているので、弾力性等がより向上する構成となっている。
【００８２】
図１８は、図１２の概略平面図である。
上述のように、クッション部３３１ａが構成されているので、舌片３３０を図１４の足挿入用開口部３２３を塞ぐように配置すると、図１８に示すように、履き口部３２２等の幼児用靴３００の履き口は、スポンジ３２２ｂを有する開口端部３２２ａとクッション部３３１ａとで囲繞される。
このため使用者の足首は、図１６に示すように全周にわたり開口端部３２２ａとクッション部３３１ａに当接するので、これら開口端部３２２ａとクッション部３３１ａは足首に柔らかく当接し、足首にフィットすることとなる。
また、これら開口端部３２２ａとクッション部３３１ａが使用者の足首に当接するので、強く舌片３３０を足首側に押し付けるようにしっかりと固定しても、開口端部３２２ａのスポンジ３２２ｂとクッション部３３１ａのスポンジ３３３ａが変形する。
このため、確実に舌片３３０で当接しても、使用者の図１６に示すような足首の屈曲が妨げることなく保持され、幼児用靴３００の足首に対するホールド性が向上する。
特に、幼児等の骨や筋肉が未発達な使用者の場合には、成長を妨げることなく、安全に練習を行う事ができる。
【００８３】
（固定ベルト１３５について）
図１２に示すように、舌片３３０の両側には固定用ベルト部である固定ベルト３３５、３３５が形成されている。この２つの固定ベルト１３５、１３５は舌片３３０に対して一体的に形成され、且つその舌片３３０の両側からそれぞれアッパー本体３２１の内足側及び外足側に配置されている。
この固定ベルト３３５は、図１４に示すように、舌片３３０の幅方向中央線から内足側の長さ（Ｌ１）が外足側の長さ（Ｌ２）より例えば５ｍｍ程度短く形成されている。この時、内足側の長さ（Ｌ１）は外足側の長さ（Ｌ２）に対して、８５％乃至９５％、好ましくは９０％乃至９５％とされている。
これは、以下の理由による。図１９は、人の足の正面から見た概略骨格図である。図１９に示すように、足の甲の最も高い部分は、足高点Ｂと呼ばれるが、図１９に示すように、足高点Ｂから内足側の長さ（Ｌ１）と外足側の長さ（Ｌ２）との長さは同じではなく、内足側の方が短く成っている。
この骨格上の相違に対応して図１４の内足側の長さ（Ｌ１）を短く形成している。
このため、従来のように内足側の固定ベルトが足の骨格の長さ（Ｌ１）より長すぎ、遊びが生じ、左右の幼児用靴３００の内足側の固定ベルトが相互に接触して歩行を阻害することを未然に防ぐことができる。
【００８４】
また、このように内足側の固定ベルト３３５を外足側の固定ベルト３３５より短く形成することで、舌片３３０を図１２に示すように配置した際に、後述する舌片３３０の幅方向の略中央部に配置されているセンターステッチ部３３４（図１２参照）が、上述した足高点Ｂに配置されるよう装着しやすい。
これにより、人の足の骨格に沿って舌片３３０を正しい位置に配置することができるので、舌片３３０による保持が精度良く行われることになる。
【００８５】
（センターステッチ部３３４等について）
ところで、図１２に示すように、舌片３３０の幅方向中央領域には、爪先側から足首側に向かって位置決め部である例えば、センターステッチ部３３４が形成されている。
図２０は、図１４のＸ−Ｘ'線概略部分断面図である。図１４に示すようにセンターステッチ部３３４は、剛性部３３２の内の表地３３２ａを芯地３３２ｂの上で折り返し、二重とした状態で縫合することで形成されている。
すなわち、この表地３３２ａの縫合によって剛性が更に高まり保形性が高まる構成となっている。
このセンターステッチ部３３４の形状は、図１２に示すように逆反り形状であり、図８の足の甲に形状に沿った形に形成されている。
したがって、図１２の舌片３３０を足の甲の形状に沿って配置し、且つ保形するので、舌片３３０の足の甲の部分に対応する部分に不必要な歪みが生ぜず、更に、左右均等に足の甲に接する為、使用者の歩行を阻害することを未然に防ぐことができる。
【００８６】
また、センターステッチ部３３４は、舌片３３０を図１２のように配置した際に、図１９の足高点Ｂ上に配置される。そして、２つの固定ベルト３３５、３３５をアッパー本体３２１にベルト側面ファスナー１３５ａ等で固定すると、図１２の矢印で示すように、センターステッチ部３３４からベルト側面ファスナー１３５ａ等に向かって力が働く。
しかし、センターステッチ部３３４は剛性が高く、保形性があるので、変形しずらい。このため、足の幅方向の略中央部を基準に左右のベルト側面ファスナー１３５ａ等に向かって両側に等しく力が働くので、精度良く舌片３３０をアッパー本体３２１に装着することができる。
【００８７】
更に、センターステッチ部３３４を視認しつつ、固定ベルト３３５を固定する事ができる為、センターステッチ部３３４が足高点Ｂ上に確実に位置させるための位置決め部としても機能する。
すなわち、固定ベルト３３５は、締める力を左右均等とすることができ、アッパー３２０を歪めることなく、固定することができる。
【００８８】
（固定ベルト３３５と踵部１４０等との関係について）
図１５に示すように２つの固定ベルト３３５、３３５のそれぞれの先端部の幅方向における略中央部を相互に結んだ仮想線Ｈをそのまま延長した場合に、上述の幼児用靴１００と同様に、この仮想線Ｈが、踵部１４０における図１６に示すアッパー側踵部１４１と靴底側踵部１４２との境界部又はその近傍に達するように固定ベルト３３５は配置されている。
【００８９】
また、図１２のセンターステッチ部３３４の縫合による縫合線３３４ａは、図１５に示すように縫合線３３４ａが上述の仮想線Ｈと略垂直に交差する構成となっている。
このため、縫合線３３４ａを基準に両側の固定ベルト３３５、３３５に向かって、図１５の矢印のように等しく力が働き易くなるので、精度良く舌片３３０をアッパー本体３２１に装着することができる。
これにより、本実施の形態の幼児用靴３００は、第１の実施の形態の幼児用靴１００よりも、足の甲に沿った状態で、確実に舌片３３０を適切な位置に固定する事ができる。
また、幼児等の歩行に伴う足指や足首の屈曲や背屈を妨げることなく、足を靴にホールドできる。さらに、幼児用靴３００の中で足が動いてしまい、歩行し難いことに伴う、足の運びや足の形のへの影響を未然に防ぐことができるので、歩行しやすく、成長発達を妨げることのない幼児用靴３００となる。
【００９０】
（第３の実施の形態）
図２１は、本発明の第３の実施の形態に係る、伝え歩き期の幼児用靴４００（以下、「幼児用靴４００」とする）を示す概略斜視図である。
図２１に示す幼児用靴４００を履く、伝え歩き期の幼児は、例えば８ヶ月乃至１２ヶ月の月齢の幼児であり、その歩行形態は、机等につかまり、手の力を使い、「つかまり立ち」をしながら横に移動する状態である。そして、この「つかまり立ち」の際に、背屈や爪先立ちをしたり、爪先立ちをした状態で歩こうとする特徴がある。
【００９１】
本実施の形態の幼児用靴４００は、他の実施の形態の幼児用靴１００、３００と異なり伝え歩き期用であるため、若干の異なる構成となっているが、多くの構成は他の実施の形態の幼児用靴１００、３００と同様である。
そのため、他の実施の形態とほぼ共通する構成については、同一符号等として説明を省略し、以下、相違点を中心に説明する。
本実施の形態では、靴底部４１０が幼児用靴１００の靴底部３１０より薄く、屈曲し易く形成されている。
また、この時期の幼児の足はふくらみが大きい事もあり、舌片４３０には、幼児用靴３００の舌片３３０と異なりセンターステッチ部３３４が形成されていない。
これは、幼児用靴４００全体の剛性を低減し、比較的柔かく全体を形成することで、歩行機能が未熟な伝え歩き期の幼児が行う「つかまり立ち」等の際に行う、爪先立ち等を行い易くするためでもある。
また、クッション部４３１ａが、舌片上端部４３１と略同等の幅の略三日月形状で、確実に開口端部４２２ａと合わせて足首を囲繞できるよう構成され、他にもベルト部４３５の下縁部側が上側に僅かに窪むよう湾曲していている等、伝え歩き期における柔かく膨らんだ足を圧迫しない構成とされている。
【００９２】
本発明は、上述の各実施の形態に限定されない。さらに、上述の各実施の形態は、相互に組み合わせて構成するようにしてもよい。
【図面の簡単な説明】
【００９３】
【図１】本発明の実施の形態に係る幼児用靴を示す概略斜視図である。
【図２】図１の幼児用靴の中央縦断図を示す概略図である。
【図３】図１の靴底本体を示す概略底面図である。
【図４】図４は、足の骨格等を上面から示す概略説明図である。
【図５】図１の幼児用靴の舌片を爪先側に倒した状態を示す概略平面図である。
【図６】図１の幼児用靴の左側面とカウンター部を示した概略左側面図である。
【図７】幼児用靴を幼児等が履いて足指を屈曲して歩行している状態を示す概略説明図である。
【図８】人における足の骨格等の側面から見た概略説明図である。
【図９】図１の幼児用靴の平面を示す概略平面図である。
【図１０】（ａ）はインソールの概略低面図であり、（ｂ）は（ａ）のＡ−Ａ'線概略断面図である。
【図１１】図１の幼児用靴のトウアッパーを靴幅方向に切断した状態を示す概略断面図である。
【図１２】本発明の第２の実施の形態に係る幼児用靴を示す概略斜視図である。
【図１３】図１２の幼児用靴の中央縦断図を示す概略図である。
【図１４】図１２の履き口部を開状態にした概略平面図である。
【図１５】カウンター部の配置状態等を示す概略図である。
【図１６】使用者の歩行状態等を示す概略説明図である。
【図１７】図１４のＹ−Ｙ'線概略断面図である。
【図１８】図１２の概略平面図である。
【図１９】人の足の正面から見た概略骨格図である。
【図２０】図１４のＸ−Ｘ'線概略部分断面図である。
【図２１】本発明の第３の実施の形態に係る、伝え歩き期の幼児用靴を示す概略斜視図である。
【符号の説明】
【００９４】
１００、３００・・・歩行練習期の幼児用靴、１１０、３１０、４１０・・・靴底部、１１１、３１１・・・中底、１１２、３１２・・・靴底本体、１１２ａ・・・溝部、１１２ｂ・・・滑り止め部、１２０、３２０・・・アッパー本体部、１２１、３２１・・・アッパー本体、１２１ａ・・・アッパー側面ファスナー、１２２、３２２・・・履き口部、１２３、３２３・・・足挿入開口部、１２４・・・縫合部、１２５・・・トウアッパー、１２５ａ・・・外縁部、１２６・・・側面皮革部、１２６ａ・・・切り欠き部、１２９・・・トゥスプリング、１３０、３３０、４３０・・・舌片、１３１、３７０・・・基部、１３２・・・上端部、１３２ａ・・・ステッチ、１３３、３３５、４３５・・・固定ベルト、１３３ａ・・・ベルト側面ファスナー、１４０・・・踵部、１４１・・・アッパー側踵部、１４２・・・靴底側踵部、１５０・・・カウンター部、１５１・・・外縁部、１６０・・・カウンターループ、２００・・・インソール、２０１・・・屈曲用溝部、３２２ａ、４２２ａ・・・開口端部、３２２ｂ・・・スポンジ、３３１、４３１・・・舌片上端部、３３１ａ、４３１ａ・・・クッション部、３３２・・・剛性部、３３２ａ・・・表地、３３２ｂ・・・芯地、３３３・・・緩衝部、３３３ａ・・・スポンジ、３３３ｂ・・・裏地、３３４・・・センターステッチ部、３３４ａ・・・縫合線、３７１・・・縫合部、４００・・・伝え歩き期の幼児用靴、Ｂ・・・足高点、Ｃ・・・足指屈曲線等、Ｄ・・・靴底の全長、Ｅ１・・・第１の線、Ｅ２・・・第２の線、Ｆ・・・足指屈曲領域、Ｇ・・・開口の最大長さ、Ｈ・・・仮想線、Ｉ・・・足高点仮想領域
【図１】
2007105526.tif 000003
【図２】
2007105526.tif 000004
【図３】
2007105526.tif 000005
【図４】
2007105526.tif 000006
【図５】
2007105526.tif 000007
【図６】
2007105526.tif 000008
【図７】
2007105526.tif 000009
【図８】
2007105526.tif 000010
【図９】
2007105526.tif 000011
【図１０】
2007105526.tif 000012
【図１１】
2007105526.tif 000013
【図１２】
2007105526.tif 000014
【図１３】
2007105526.tif 000015
【図１４】
2007105526.tif 000016
【図１５】
2007105526.tif 000017
【図１６】
2007105526.tif 000018
【図１７】
2007105526.tif 000019
【図１８】
2007105526.tif 000020
【図１９】
2007105526.tif 000021
【図２０】
2007105526.tif 000022
【図２１】
2007105526.tif 000023
【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
使用者の足の足裏側を配置するための靴底部と、
前記靴底部から立ち上がるように、且つ使用者の足を包むように形成されるアッパー本体部と、
使用者の足の踵を配置するための踵部とを、備える靴であって、
このアッパー本体部には、使用者の足を挿入するための履き口部と、
前記履き口部の一部を切り欠いて爪先側方向に向かって形成されている足挿入用開口部と、
前記足挿入用開口部に対応して配置される舌状当接部と、
前記舌状当接部と前記足挿入用開口部に対して配置される固定用ベルト部と、を備え、
前記踵部は、前記靴底部に形成される靴底側踵部と前記アッパー本体部に形成されるアッパー本体側踵部とを有し、
少なくとも前記アッパー本体側踵部には、その剛性を高めるためにカウンター部が設けられ、
前記固定用ベルト部は、前記舌状当接部に対して一体的に形成され、且つその両側からそれぞれ突出するように配置され、
前記固定用ベルト部のそれぞれの端部と、これらに対応するアッパー本体部には、前記固定用ベルト部をアッパー本体部に着脱可能で、位置の調整可能な状態で固定するための係合手段が形成され、
前記固定用ベルト部のそれぞれの端部は、前記カウンター部の外縁部に近接して配置されると共に、
前記固定用ベルト部のそれぞれの端部の幅方向における略中央部を相互に結んだ仮想線を、そのまま延長した場合に、この仮想線が、前記踵部における前記アッパー本体側踵部と前記靴底側踵部との境界部又はその近傍に達すると共に、前記固定用ベルト部の前記端部を前記仮想線に沿ってそのまま延長した場合に、この端部の延長した部分が、前記アッパー本体側踵部と前記靴底側踵部との境界部に位置するように前記固定用ベルト部は設けられ、
また、前記舌状当接部の両側に配置される、それぞれの前記固定用ベルト部を結んだ仮想線の領域に、使用者の足の甲における足高点が位置するように、前記固定用ベルト部が配置される構成となっていることを特徴とする靴。
【請求項２】
前記仮想線を延長して、靴の載置面における仮想線と交差する部位における角度が３０度乃至４０度となっていることを特徴とする請求項１に記載の靴。
【請求項３】
前記舌状当接部の両側に配置される、それぞれの前記固定用ベルト部を結んだ仮想線の領域における下縁部側に、使用者の足の甲における足高点が位置するように、前記固定用ベルト部が配置される構成となっていることを特徴とする請求項１又は請求項２に記載の靴。
【請求項４】
前記舌状当接部を前記足挿入用開口部に対応して配置した際に、その上端部が前記履き口部より高く位置するように形成されると共に、
前記舌状当接部の両側に配置される、それぞれの前記固定用ベルト部を結んだ仮想線の上縁部側に、前記上端部の変形を容易にする屈曲変形部が形成されることを特徴とする請求項１乃至請求項３のいずれかに記載の靴。
【請求項５】
前記舌状当接部は前記足挿入用開口部の爪先側の端部又はその近傍の前記アッパー本体部に設けられた舌状当接部取り付け領域で固定されると共に、
前記舌状当接部取り付け領域は、使用者の足の足指屈曲線又はその近傍の上方に相当する位置に形成される構成となっていることを特徴とする請求項１乃至請求項４のいずれかに記載の靴。
【請求項６】
前記アッパー本体部に形成された履き口部と前記足挿入用開口部とで形成される開口と、前記靴とを平面図において表した場合に、前記開口の最大長さが、前記靴の最大長さに対して４５％以上に形成されていることを特徴とする請求項１乃至請求項５のいずれかに記載の靴。
【請求項７】
前記靴が幼児用靴であることを特徴とする請求項１乃至請求項６のいずれかに記載の靴。
【請求項８】
前記舌状当接部の靴幅方向中央領域に、靴の爪先側から足首側にわたって位置決め部が形成されていることを特徴とする請求項１乃至請求項６のいずれかに記載の靴。
【請求項９】
前記舌状当接部には剛性を有する剛性層が形成され、
前記位置決め部は前記剛性層を縫合することにより形成され、
前記縫合により成る縫合線が前記固定用ベルト部のそれぞれの端部の幅方向における略中央部を相互に結んだ仮想線と略垂直に交差する構成であることを特徴とする請求項８に記載の靴。
【請求項１０】
前記舌状当接部に対して一体的に形成され、且つその両側からそれぞれ突出するように配置されている前記固定用ベルト部のうち、靴の内足側に配置される前記固定用ベルト部が、靴の外足側に配置される前記固定用ベルト部より短く形成されていることを特徴とする請求項１乃至請求項９のいずれかに記載の靴。
【手続補正２】
【補正対象書類名】明細書
【補正対象項目名】０００５
【補正方法】変更
【補正の内容】
【０００５】
前記目的は、請求項１の発明によれば、使用者の足の足裏側を配置するための靴底部と、前記靴底部から立ち上がるように、且つ使用者の足を包むように形成されるアッパー本体部と、使用者の足の踵を配置するための踵部とを、備える靴であって、このアッパー本体部には、使用者の足を挿入するための履き口部と、前記履き口部の一部を切り欠いて爪先側方向に向かって形成されている足挿入用開口部と、前記足挿入用開口部に対応して配置される舌状当接部と、前記舌状当接部と前記足挿入用開口部に対して配置される固定用ベルト部と、を備え、前記踵部は、前記靴底部に形成される靴底側踵部と前記アッパー本体部に形成されるアッパー本体側踵部とを有し、少なくとも前記アッパー本体側踵部には、その剛性を高めるためにカウンター部が設けられ、前記固定用ベルト部は、前記舌状当接部に対して一体的に形成され、且つその両側からそれぞれ突出するように配置され、前記固定用ベルト部のそれぞれの端部と、これらに対応するアッパー本体部には、前記固定用ベルト部をアッパー本体部に着脱可能で、位置の調整可能な状態で固定するための係合手段が形成され、前記固定用ベルト部のそれぞれの端部は、前記カウンター部の外縁部に近接して配置されると共に、前記固定用ベルト部のそれぞれの端部の幅方向における略中央部を相互に結んだ仮想線を、そのまま延長した場合に、この仮想線が、前記踵部における前記アッパー本体側踵部と前記靴底側踵部との境界部又はその近傍に達すると共に、前記固定用ベルト部の前記端部を前記仮想線に沿ってそのまま延長した場合に、この端部の延長した部分が、前記アッパー本体側踵部と前記靴底側踵部との境界部に位置するように前記固定用ベルト部は設けられ、また、前記舌状当接部の両側に配置される、それぞれの前記固定用ベルト部を結んだ仮想線の領域に、使用者の足の甲における足高点が位置するように、前記固定用ベルト部が配置される構成となっていることを特徴とする靴により達成される。
【手続補正３】
【補正対象書類名】明細書
【補正対象項目名】００１４
【補正方法】変更
【補正の内容】
【００１４】
以上により、本請求項の構成によれば、使用者が足を入れ易く、又は介助者が履かせ易い靴であると共に、靴を履いた後は、足が靴の踵部に押し付けられて固定されるので、ホールド性が良く歩きやすい靴となる。
好ましくは、請求項２の発明によれば、請求項１の構成において、前記仮想線を延長して、靴の載置面における仮想線と交差する部位における角度が３０度乃至４０度となっていることを特徴とする記載の靴である。
【手続補正４】
【補正対象書類名】明細書
【補正対象項目名】００１５
【補正方法】変更
【補正の内容】
【００１５】
好ましくは、請求項３の発明によれば、請求項１又は請求項２の構成において、前記舌状当接部の両側に配置される、それぞれの前記固定用ベルト部を結んだ仮想線の領域における下縁部側に、使用者の足の甲における足高点が位置するように、前記固定用ベルト部が配置される構成となっていることを特徴とする靴である。
請求項３の構成によれば、足高点が前記固定用ベルトを結んだ仮想線の領域における下縁部側に位置している為、仮想線の下縁部側が、足高点を中心として踵部側に向かって足を固定するよう機能し、より確実に、足を踵部に向かって固定する事ができる。
【手続補正５】
【補正対象書類名】明細書
【補正対象項目名】００１６
【補正方法】変更
【補正の内容】
【００１６】
好ましくは、請求項４の発明によれば、請求項１乃至請求項３のいずれかの構成において、前記舌状当接部を前記足挿入用開口部に対応して配置した際に、その上端部が前記履き口部より高く位置するように形成されると共に、前記舌状当接部の両側に配置される、それぞれの前記固定用ベルト部を結んだ仮想線の上縁部側に、前記上端部の変形を容易にする屈曲変形部が形成されることを特徴とする靴である。
【手続補正６】
【補正対象書類名】明細書
【補正対象項目名】００１７
【補正方法】変更
【補正の内容】
【００１７】
請求項４の構成によれば、前記舌状当接部を前記足挿入用開口部に対応して配置した際に、その上端部が前記履き口部より高く位置するように形成される。
したがって、この上端部によって、より広い面積で使用者の足を包むことになるので、舌状当接部による足のホールド性、特に足首のホールド性が高まる靴となる。
一方、この上端部により、足首のホールド性は高まるが、逆に歩行に際し行われる足首の屈曲が、この上端部で妨げられることや、足首に上端部がくい込んでしまう等のおそれがある。
そこで、本請求項では、前記舌状当接部の両側に配置される、それぞれの前記固定用ベルト部を結んだ仮想線の上縁部側に、前記上端部の変形を容易にする屈曲変形部が形成されている。
この屈曲変形部の変形により、足首の形に合わせて、履き口部から離れる方向に屈曲し易くなり、上述の歩行に際し行われる足首の屈曲が妨げられることがない。しかも、積極的に屈曲変形部が変形する為に、他の舌状当接部の変形が抑えられ、舌状当接部全体による固定は影響を受けずに、確実な固定を維持する。したがって、歩行に際し、ホールド性が高く、足首が屈曲し易い靴となる。
【手続補正７】
【補正対象書類名】明細書
【補正対象項目名】００１８
【補正方法】変更
【補正の内容】
【００１８】
好ましくは、請求項５の発明によれば、請求項１乃至請求項４のいずれかの構成において、前記舌状当接部は前記足挿入用開口部の爪先側の端部又はその近傍の前記アッパー本体部に設けられた舌状当接部取り付け領域に固定されると共に、前記舌状当接部取り付け領域は、使用者の足の足指屈曲線又はその近傍の上方に相当する位置に形成される構成となっていることを特徴とする靴である。
【手続補正８】
【補正対象書類名】明細書
【補正対象項目名】００１９
【補正方法】変更
【補正の内容】
【００１９】
請求項５の構成によれば、前記舌状当接部は前記足挿入用開口部の爪先側の端部又はその近傍の前記アッパー本体部に設けられた舌状当接部取り付け領域に固定されている。
したがって、前記舌状当接部を靴の爪先側に開くことができ、使用者が前記足挿入用開口部を開き、足を挿入して履く際や脱ぐ際に、前記舌状当接部が邪魔となることがない。
また、この舌状当接部は前記アッパー本体部の舌状当接部取り付け領域に縫合等により取り付けられるが、この取り付けにより取り付け部を中心として回動する方向に、舌状当接部取り付け領域は周囲の領域に比べ脆弱部となる。
そして、この脆弱部は、同時に、使用者の足の足指屈曲線又はその近傍の上方に相当する位置となる。この足指屈曲線は、歩行に際し足が屈曲する部分である。
したがって、前記舌状当接部取り付け領域は、使用者の足の足指屈曲線又はその近傍の上方に相当する位置に形成される構成となっているので、前記舌状当接部取り付け領域が屈曲し易く、歩行し易い靴となる。
【手続補正９】
【補正対象書類名】明細書
【補正対象項目名】００２０
【補正方法】変更
【補正の内容】
【００２０】
好ましくは、請求項６の発明によれば、請求項１乃至請求項５のいずれかの構成において、前記アッパー本体部に形成された履き口部と前記足挿入用開口部とで形成される開口と、前記靴とを平面図において表した場合に、前記開口の最大長さが、前記靴の最大長さに対して４５％以上に形成されていることを特徴とする靴である。
【手続補正１０】
【補正対象書類名】明細書
【補正対象項目名】００２１
【補正方法】変更
【補正の内容】
【００２１】
請求項６の構成によれば、前記アッパー本体部に形成された履き口部と前記足挿入用開口部とで形成される開口と、前記靴とを平面図において表した場合に、前記開口の最大長さが、前記靴の最大長さに対して４５％以上に形成されている。
したがって、従来の靴に比べ著しく前記履き口部と前記足挿入用開口部とで形成される前記開口を大きく形成することができ、履きやすい。
なお、ここで示す４５％以上とは、１００％でも構わないが、靴の構造を考慮すると４５％乃至７５％、好ましくは５５％乃至７５％であることが好ましい。
【手続補正１１】
【補正対象書類名】明細書
【補正対象項目名】００２２
【補正方法】変更
【補正の内容】
【００２２】
好ましくは、請求項７の発明によれば、請求項１乃至請求項６のいずれかの構成において、前記靴が幼児用靴であることを特徴とする靴である。
【手続補正１２】
【補正対象書類名】明細書
【補正対象項目名】００２３
【補正方法】変更
【補正の内容】
【００２３】
請求項７の構成によれば、前記靴が幼児用靴であるので、幼児等が足を入れ易く、又は介助者である母親等が履かせ易い靴であると共に、靴を履いた後は、足が靴の踵部に押し付けられて固定されるので、ホールド性が良く、幼児等にとって歩きやすく、足の成長発達を妨げる事の無い幼児用靴となる。
特に歩行初期における幼児は、歩行能力が未発達であり、靴の中で足がズレた場合に応じて、足の運びを変えられないため、転倒したり、足の運び方に影響が出てしまう等の問題が大きい。また、足指の先の動きを阻害しないために爪先側に余裕を持たせた場合には、靴の中で足がズレてしまう可能性が高まるため、足の踵を靴の踵部に固定する必要性が高い。
【手続補正１３】
【補正対象書類名】明細書
【補正対象項目名】００２４
【補正方法】変更
【補正の内容】
【００２４】
好ましくは、請求項８の発明によれば、請求項１乃至請求項６の構成において、前記舌状当接部の靴幅方向中央領域に、靴の爪先側から足首側にわたって位置決め部が形成されていることを特徴とする靴である。
【手続補正１４】
【補正対象書類名】明細書
【補正対象項目名】００２５
【補正方法】変更
【補正の内容】
【００２５】
請求項８の構成によれば、前記舌状当接部の靴幅方向中央領域に、靴の爪先側から足首側にわたって位置決め部が形成されている。
このため、この位置決め部により使用者若しくは介助者が舌状当接部を左右均等に配置しやすいと共に、位置決め部によって保形性が高まること等によって、前記舌状当接部の使用者の足の甲の部分に対応する部分に不必要な歪みが生ぜず、舌状当接部が確実に機能して、使用者の歩行を阻害することを未然に防ぐことができる。
【手続補正１５】
【補正対象書類名】明細書
【補正対象項目名】００２６
【補正方法】変更
【補正の内容】
【００２６】
好ましくは、請求項９の発明によれば、請求項８の構成において、前記舌状当接部には剛性を有する剛性層が形成され、前記位置決め部は前記剛性層を縫合することにより形成され、前記縫合により成る縫合線が前記固定用ベルト部のそれぞれの端部の幅方向における略中央部を相互に結んだ仮想線と略垂直に交差する構成であることを特徴とする靴である。
【手続補正１６】
【補正対象書類名】明細書
【補正対象項目名】００２７
【補正方法】変更
【補正の内容】
【００２７】
請求項９の構成によれば、前記舌状当接部には剛性を有する剛性層が形成され、前記位置決め部は前記剛性層を縫合することにより形成されている。
このため、舌状当接部が不用意に変形する事が無く、確実に足を固定すると共に、前記剛性層を縫合することで剛性が更に高まり、保形性が高まる構成となっている。
また、前記縫合により成る縫合線が前記固定用ベルト部のそれぞれの端部の幅方向における略中央部を相互に結んだ仮想線と略垂直に交差する構成である。
このため、靴幅方向の略中央部の前記縫合線を基準に両側の前記固定用ベルト部に向かって等しく力が働き易くなるので、精度良く前記舌状当接部を前記アッパー本体部に装着することができ装着時に靴の歪みが発生する事を防止する。
【手続補正１７】
【補正対象書類名】明細書
【補正対象項目名】００２８
【補正方法】変更
【補正の内容】
【００２８】
好ましくは、請求項１０の発明によれば、請求項１乃至請求項９のいずれかの構成において、前記舌状当接部に対して一体的に形成され、且つその両側からそれぞれ突出するように配置されている前記固定用ベルト部のうち、靴の内足側に配置される前記固定用ベルト部が、靴の外足側に配置される前記固定用ベルト部より短く形成されていることを特徴とする靴である。
【手続補正１８】
【補正対象書類名】明細書
【補正対象項目名】００２９
【補正方法】変更
【補正の内容】
【００２９】
請求項１０の構成によれば、前記固定用ベルト部のうち、靴の内足側に配置される前記固定用ベルト部が、靴の外足側に配置される前記固定用ベルト部より短く形成されている。
すなわち、人の足の骨格のうち、甲の最も高い部分は、足高点と呼ばれるが、この足高点から内足側の長さと外足側の長さは同じではなく、内足側の方が短く成っている。
このため、この足の骨格に対応して前記固定用ベルト部の内足側の長さを短く形成している。したがって、前記内足側の固定用ベルト部が長すぎて遊びが生じ、左右の靴の内足側の固定用ベルト部が相互に接触して、使用者の歩行を阻害することがない。